(57)【要約】【課題】高さ方向の圧縮力に対する強度を大きくでき、高さ方向の座屈を抑制できる包装箱を提供すること。【解決手段】箱本体１０が、Ｘ方向から見たとき片方の第１側壁部１５又は１７に重なると共にＹ方向から見たとき片方の第２側壁部１６又は１８に重なる重なり領域に設けられる折込部２０を含むようにする。折込部２０が、平面視でＬ字形状を有する切れ目を有する。平面視において、切れ目が、底壁部１４側の端から第２接続縁２２まで第２側壁部１６,１８の第２高さ方向延在縁１６ａ,１８ａに沿うようにＸ方向に延在する第１方向延在部と、第１方向延在部の底壁部１４側とは反対側の端部からＹ方向に延在する第２方向延在部を含むようにする。【選択図】図２
2019189303.tif 000002
【特許請求の範囲】
【請求項１】
折目が形成された一枚のシート状の段ボールを前記折目に沿って折り込むことで箱形状に形成される箱部を含む箱本体を備える包装箱であって、
前記箱本体は、
平面視で略矩形の内側面を含む上壁部と、
第１方向に延在する一対の第１縁部と、前記第１方向に直交する第２方向に延在する一対の第２縁部とを含む略矩形の内側面を有する底壁部と、
側壁を構成する４つの側壁部に含まれ、前記第１縁部に接続されるか又は組立状態で前記第１縁部に略重なる縁部を有する一対の第１側壁部と、
前記４つの側壁部に含まれ、前記組立状態で前記第１側壁部と略直交する一対の第２側壁部と、
前記第１側壁部において前記組立状態で高さ方向に延びる第１高さ方向延在縁に繋がる第１接続縁、及び前記第２側壁部において前記組立状態で前記第１高さ方向延在縁に略重なるように配置される第２高さ方向延在縁に繋がる第２接続縁を含み、シート状に展開した展開状態での平面視において、前記第１方向から見たとき片方の前記第１側壁部に重なると共に前記第２方向から見たとき片方の前記第２側壁部に重なる重なり領域に設けられる折込部と、を含み、
前記折込部には、前記平面視でＬ字形状を有する切れ目が設けられ、
前記平面視において、前記切れ目は、前記底壁部側の端から前記第２接続縁まで前記第２高さ方向延在縁に沿うように前記第１方向に延在する第１方向延在部と、前記第１方向延在部の前記底壁部側とは反対側の端部から前記第２方向に延在する第２方向延在部とを含む、包装箱。
【請求項２】
前記第２方向延在部は、前記第１方向の幅を有するスリット形状を有する、請求項１に記載の包装箱。
【請求項３】
前記第２方向が、前記段ボールの目方向に一致する、請求項１又は２に記載の包装箱。
【請求項４】
前記第１接続縁の長さが、前記第２接続縁の長さよりも長い、請求項３に記載の包装箱。
【請求項５】
前記第１方向延在部は、前記第２方向の幅を有するスリット形状を有し、
前記第２方向の幅よりも薄い厚さを有し、前記底壁部の上側に配置される緩衝材を更に備える、請求項１乃至４のいずれか１つに記載の包装箱。
【請求項６】
光出射側の端部にフランジを有する埋込式の照明装置を収納するために用いられ、
前記第２方向の幅は、前記緩衝材の厚さと前記フランジの厚さを足した長さ以上の長さである、請求項５に記載の包装箱。
【発明の詳細な説明】
【技術分野】
【０００１】
本開示は、包装箱に関する。
【背景技術】
【０００２】
従来、包装箱としては、特許文献１に記載されているように、１枚のシート状の段ボールを中空の直方体形状に折り畳んで形成されたものがある。また、段ボールは、例えば、図５に示す断面を有し、波型に形成した中芯２６２と、中芯２６２の厚さ方向の両側に貼合されたライナー２６１と呼ばれる厚紙を含む。中芯２６２は、一方向に関して波型に変形する厚紙であり、一方向に直交する直交方向では、直線状に延在する。段ボールにおいて、上記直交方向は、目方向と呼ばれる。なお、図５は、１重構造の段ボールを表す断面図であるが、段ボールは、２重以上の構造であってもよい。例えば、２重構造の段ボールの場合、平行に配置された３つのライナーと２つの中芯を有し、各中芯は、隣り合う各２つのライナーの間に貼合される。また、３重構造の段ボールの場合、平行に配置された４つのライナーと３つの中芯を有し、各中芯は、隣り合う各２つのライナーの間に貼合される。
【先行技術文献】
【特許文献】
【０００３】
【特許文献１】特開２０１２−２０７４９号公報
【発明の概要】
【発明が解決しようとする課題】
【０００４】
包装箱は、高さ方向の圧縮力に対する強度を大きくできると好ましく、圧縮力が高さ方向に生じても座屈が起こりにくいと好ましい。特に、包装箱を、１枚のシート状の段ボールを中空の直方体形状に折り畳んで形成する場合、段ボールは、一般的に、１枚のシート状に展開した際、全ての箇所で目方向が同じ方向になる。したがって、段ボールを直方体形状に組み立てた場合、４つの側壁部のうちの２つの側壁部で目方向が高さ方向に直交する方向に向くことになり、この２つの側壁部は、高さ方向の圧縮力に対して弱くなる。よって、該圧縮力に対する座屈が起こり易い。
【０００５】
そこで、本開示の目的は、高さ方向の圧縮力に対する強度を大きくでき、高さ方向の座屈を抑制できる包装箱を提供することにある。
【課題を解決するための手段】
【０００６】
上記課題を解決するため、本開示に係る包装箱は、折目が形成された一枚のシート状の段ボールを折目に沿って折り込むことで箱形状に形成される箱部を含む箱本体を備える包装箱であって、箱本体は、平面視で略矩形の内側面を含む上壁部と、第１方向に延在する一対の第１縁部と、第１方向に直交する第２方向に延在する一対の第２縁部とを含む略矩形の内側面を有する底壁部と、側壁を構成する４つの側壁部に含まれ、第１縁部に接続されるか又は組立状態で第１縁部に略重なる縁部を有する一対の第１側壁部と、４つの側壁部に含まれ、組立状態で第１側壁部と略直交する一対の第２側壁部と、第１側壁部において組立状態で高さ方向に延びる第１高さ方向延在縁に繋がる第１接続縁、及び第２側壁部において組立状態で第１高さ方向延在縁に略重なるように配置される第２高さ方向延在縁に繋がる第２接続縁を含み、シート状に展開した展開状態での平面視において、第１方向から見たとき片方の第１側壁部に重なると共に第２方向から見たとき片方の第２側壁部に重なる重なり領域に設けられる折込部と、を含み、折込部には、平面視でＬ字形状を有する切れ目が設けられ、平面視において、切れ目は、底壁部側の端から第２接続縁まで第２高さ方向延在縁に沿うように第１方向に延在する第１方向延在部と、第１方向延在部の底壁部側とは反対側の端部から第２方向に延在する第２方向延在部とを含む。なお、線状の切り込みは、上記切れ目に含まれ、スリット状の長孔も、上記切れ目に含まれる。
【発明の効果】
【０００７】
本開示に係る包装箱によれば、高さ方向の圧縮力に対する強度を大きくでき、高さ方向の座屈を抑制できる。
【図面の簡単な説明】
【０００８】
【図１】組み立てられている最中の本開示の一実施形態に係る包装箱を表す模式図である。
【図２】同一の平面上に広がるように１枚のシート状に展開された箱本体をその厚さ方向から見たときの平面図である。
【図３】図２における右上側の１つの折込部の周辺部分の拡大平面図である。
【図４】変形例の箱本体における図２に対応する平面図である。
【図５】１重構造の段ボールの断面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。また、以下の説明及び図面において、Ｘ方向は、第１方向を示し、Ｙ方向は、第２方向を示し、Ｚ方向は、組み立てられた状態の包装箱１の高さ方向を示す。Ｘ方向、Ｙ方向、及びＺ方向は、互いに直交する。
【００１０】
図１は、組み立てられている最中の本開示の一実施形態に係る包装箱１を示す模式図である。包装箱１は、光出射側の端部にフランジを有する埋込式の照明装置（所謂、ダウンライト）を収納するために用いられる。そのような照明装置は、取付バネを有し、取り付けバネをホール等の天井に設けられた円筒孔に係止することで天井に固定される。図１に示すように、包装箱１は、箱本体１０と、緩衝材８０を備え、箱本体１０は、箱部１１と、柱部１２を含む。箱部１１は、折目が形成されたシート状の一枚の段ボールを折目に沿って折り込んだ際に箱形状に形成される部分である。
【００１１】
柱部１２は、箱部１１が箱状に形成される際に箱部１１内側の角部に高さ方向に起立するように形成される。柱部１２は、各角部に関して、その角部を画定する２つの側壁部１５〜１８のうちの１つの側壁部１５〜１８に対して略３０°〜６０°傾斜するように箱部１１の角から箱部内側に所定距離延在する。本実施例では、図１に示すように、該１つの側壁部１５〜１８に対して略４０°〜５０°傾斜するように箱部１１の角から箱部１１内側に所定距離延在する。柱部１２の詳しい構造については、後で図２〜図４を用いて詳細に説明する。
【００１２】
緩衝材８０は、シート状の段ボール、シート状の厚紙、又はシート状の発泡スチロール等で構成され、照明装置が接触しても照明装置が傷つかないシート状の素材で構成される。緩衝材８０は、略矩形の縁部８１を有し、この縁部８１は、高さ方向上側から見たとき、箱部１１の底壁部１４の縁部１４ｂ,１４ｃに重なるように配置される。緩衝材８０の縁部端面は、箱部１１が箱状に組み立てられた際、箱部１１の４つの側壁部１５〜１８で内側に押圧され、その結果、緩衝材８０は、高さ方向に垂直な方向（以下、この方向を水平方向という）が４つの側壁部１５〜１８で位置決めされる。
【００１３】
緩衝材８０は、厚さ方向に貫通する円形の貫通孔８２を中央部に有し、更に、貫通孔８２から径方向に延在する複数の凹部８３を有する。複数の凹部８３は、貫通孔８２の周方向に間隔をおいて配置され、各凹部８３は、緩衝材８０を厚さ方向に貫通し、略矩形の形状を有する。
【００１４】
緩衝材８０は、図示しない照明装置を箱部１１に対して水平方向に位置決めするために設けられる。詳しくは、先ず、照明装置を、その光照射面を底壁部１４の上面に載置するように箱部１１の中央部に収容する。その後、緩衝材８０を高さ方向上側から底壁部１４側に照明装置に被せるように挿入する。その挿入は、照明装置に緩衝材８０の下面が照明装置のフランジの上面に当接するまで実行される。この挿入の際、照明装置の複数の取付バネは、複数の凹部８３に収容される。緩衝材８０が所定位置まで挿入されると、貫通孔８２の内面が、照明装置の断面円形の外周面に当接する。その結果、照明装置は、緩衝材８０を介して箱部１１の４つの側壁部１５〜１８に対して位置決めされ、箱部１１に対して水平方向に略相対移動不可になる。よって、包装箱１に収納された照明装置が、搬送中等に損傷することを抑制できる。
【００１５】
次に、箱本体１０の構造、特に、柱部１２の構造について詳細に説明する。図２は、同一の平面上に広がるように１枚のシート状に展開された箱本体１０をその厚さ方向から見たときの平面図である。図２に示すように、箱本体１０は、上述の底壁部１４と、上述の４つの側壁部１５〜１８を備える。底壁部１４は、略矩形の内側面１４ａを有し、内側面１４ａは、第１方向（Ｘ方向）に延在する一対の第１縁部１４ｂと、第１方向に直交する第２方向（Ｙ方向）に延在する一対の第２縁部１４ｃを含む。
【００１６】
４つの側壁部１５〜１８は、箱本体１０の側壁を構成し、第１縁部１４ｂに接続される一対の第１側壁部１５,１７と、組立状態で第１側壁部１５,１７と略直交する一対の第２側壁部１６,１８を含む。一対の第１側壁部１５,１７は、略同一の矩形状の内側面を有し、一対の第２側壁部１６,１８も、略同一の矩形状の内側面を有する。一対の第１側壁部１５,１７を、一対の第１縁部１４ｂで底壁部１４に直交するように９０°上側に折り返し、一対の第２側壁部１６,１８を、一対の第２縁部１４ｃで底壁部１４に直交するように９０°上側に折り返すと、底壁部１４及び４つの側壁部１５〜１８は、上側のみが開口した略直方体の収容室を画定する。
【００１７】
箱本体１０は、更に、略矩形の内側面を含む上壁部１９を備え、上壁部１９は、４つの部分１９ａ〜１９ｄで構成される。４つの部分１９ａ〜１９ｄは、展開状態でＸ方向に対向する一対の第１部分１９ａ,１９ｂと、展開状態でＹ方向に対向する一対の第２部分１９ｃ,１９ｄを含む。一方の第１部分１９ａは、一方の第２側壁部１６の底壁部１４側とは反対側の縁部に接続され、他方の第１部分１９ｂは、他方の第２側壁部１８の底壁部１４側とは反対側の縁部に接続される。また、一方の第２部分１９ｃは、一方の第１側壁部１５の底壁部１４側とは反対側の縁部に接続され、他方の第２部分１９ｄは、他方の第１側壁部１７の底壁部１４側とは反対側の縁部に接続される。
【００１８】
一対の第１部分１９ａ,１９ｂの夫々は、底壁部１４及び４つの側壁部１５〜１８で、上側のみが開口した略直方体の収容室を形成した後に、開口を塞ぐように９０°折り返される。また、一対の第２部分１９ｃ,１９ｄの夫々は、開口を塞ぐように９０°折り返された一対の第１部分１９ａ,１９ｂに上から重なると共に開口を塞ぐように９０°折り返される。この状態で、高さ方向（Ｚ方向）から見たとき、一対の第２部分１９ｃ,１９ｄの略全部が、底壁部１４の略全部に重なる。その後、一対の第２部分１９ｃ,１９ｄの間をＸ方向に延在するテープ等で止めることで包装箱１が略密封状態に組み立てられる。
【００１９】
図２に示すように、箱本体１０は、展開状態において４つの角部に折込部２０を更に備え、折込部２０は、第１接続縁２１、及び第２接続縁２２を含む。第１接続縁２１は、第１側壁部１５,１７において組立状態でＺ方向に延びる第１高さ方向延在縁１５ａ,１７ａに繋がる。また、第２接続縁２２は、第２側壁部１６,１８において組立状態で第１高さ方向延在縁１５ａ,１７ａに略重なるように配置される第２高さ方向延在縁１６ａ,１８ａに繋がる。第２高さ方向延在縁１６ａ,１８ａは、組立状態でＺ方向に延在する。
【００２０】
折込部２０は、展開状態での平面視において、Ｘ方向から見たとき片方の第１側壁部１５,１７に重なると共にＹ方向から見たとき片方の第２側壁部１６,１８に重なる重なり領域に設けられる。箱本体１０は、４つの重なり領域を有し、重なり領域は、展開状態における箱本体１０の４隅に設けられる。各重なり領域は、Ｚ方向（底壁部１４の厚さ方向）から見たときの平面視において矩形の形状を有する。
【００２１】
図３は、図２における右上側の１つの折込部２０の周辺部分の拡大平面図である。図３に示すように、折込部２０には、１枚のシート状に展開した場合における平面視でＬ字形状を有する切れ目３０が設けられる。切れ目３０は、該平面視において、第１方向延在部３１と、第２方向延在部３２を含む。第１方向延在部３１は、底壁部１４側の端から第２接続縁２２まで第２高さ方向延在縁１６ａに沿うようにＸ方向に延在する。また、第２方向延在部３２は、第１方向延在部３１の底壁部１４側とは反対側の端部からＹ方向に延在する。第１方向延在部３１のＸ方向の第２接続縁２２側の端部は、第２方向延在部３２のＹ方向の第２側壁部１６側の端部に一致し、第１方向延在部３１と、第２方向延在部３２は、互いに相俟って平面視でＬ字状の貫通孔を構成する。
【００２２】
図３に示すように、第１方向延在部３１は、Ｙ方向の幅を有するスリット形状を有し、第２方向延在部３２は、Ｘ方向の幅を有するスリット形状を有する。また、折込部２０は、展開状態において、第１高さ方向延在縁１５ａ及び第２高さ方向延在縁１６ａの両方に４５°の角度をなして第１及び第２側壁部１５,１６の角３５から外側に延在する仮想線α上に位置する折目３８を有する。
【００２３】
箱本体１０が、１枚のシート状の展開状態から箱形状に折り込まれる際、折込部２０は、折目３８で箱の内側に側壁部１５〜１８の内面に対して略４５°をなす方向に折り込まれる。再度、図２を参照して、折込部２０において第１方向延在部３１よりも高さ方向上側に位置するＸ領域（点線で囲まれた領域）は、図１に示す折り込み状態において、略高さ方向の全域にわたって高さ方向に延在する柱部１２を構成する。図１及び図２に示すように、第１接続縁２１の長さａ［ｃｍ］は、柱部１２の高さに一致する。また、図１及び図２を参照して、第２接続縁２２は、高さ方向に関し、折込状態で柱部１２の下端よりも上側に位置し、ｂ［ｃｍ］で示す寸法を有する。
【００２４】
図２の展開図においては、段ボールのライナー６１の一部を剥いだ状態が図示され、中芯６２の延在方向が示されている。図２に示すように、中芯６２は、Ｘ方向に行くにしたがって波状に変化し、Ｙ方向に直線上に延在する。このことから、段ボールの目方向は、Ｙ方向に一致する。図３を参照して、展開状態で、折込部２０において折目３８を境にしてＹ方向外側に位置するＹ領域は、図１にＹで示す領域に一致する。第２接続縁２２の長さｂは、図１のＹ領域の高さに一致する。ｂは、以上の長さに設定されてもよいが、ａより短ければ好ましく、０.３ａ≦ｂ≦０.７ａを満たすとより好ましく、０.４ａ≦ｂ≦０.６ａを満たすと更に好ましく、０.４５ａ≦ｂ≦０.５５ａを満たすと最も好ましい。本実施例では、ｂは、ａ／２の長さに設定されている。
【００２５】
図３に示すように、折込部２０は、折目３８の外側に折目３８の延在方向に対して内側に窪んだ凹部４０を有する。本実施例では、凹部４０は、図２及び図３に示す平面視で略矩形の形状を有し、Ｘ方向に延在する縁と、Ｙ方向に延在する縁を有する。図１に示すように、折込部２０が折り込まれた状態で、折目３８は、高さ方向上側に行くにしたがって箱部内側に移動するように斜めに傾斜する。凹部４０を形成することで、折り込まれた状態で、折込部２０が過度に内側にせり出さないようにして、照明装置が収容されるスペースが過度に小さくならないようにしている。なお、本実施例と異なり、折込部は、折目の外側に折目の延在方向に対して内側に窪んだ凹部を有さなくてもよい。
【００２６】
再度、図１及び図３を参照して、第１方向延在部３１のＹ方向の幅は、緩衝材８０の厚さよりも長くなっている。詳しくは、第１方向延在部３１のＹ方向の幅は、緩衝材８０の厚さと照明装置のフランジの厚さを足した長さ以上の長さになっている。本実施例では、第１方向延在部３１のＹ方向の幅は、緩衝材８０の厚さと照明装置のフランジの厚さを足した長さに設定されている。
【００２７】
以上、包装箱１は、折目が形成された一枚のシート状の段ボールを折目に沿って折り込むことで箱形状に形成される箱部１１を含む箱本体１０を備える。また、箱本体１０は、平面視で略矩形の内側面を含む上壁部１９と、Ｘ方向に延在する一対の第１縁部１４ｂ、及びＸ方向に直交するＹ方向に延在する一対の第２縁部１４ｃを含む略矩形の内側面１４ａを有する底壁部１４を備える。また、箱本体１０は、その側壁を構成する４つの側壁部１５〜１８に含まれ、第１縁部１４ｂに接続される一対の第１側壁部１５,１７と、４つの側壁部１５〜１８に含まれ、組立状態で第１側壁部１５,１７と略直交する一対の第２側壁部１６,１８を備える。また、箱本体１０は、シート状に展開した展開状態での平面視において、Ｘ方向から見たとき片方の第１側壁部１５又は１７に重なると共に、Ｙ方向から見たとき片方の第２側壁部１６又は１８に重なる重なり領域に設けられる折込部２０を備える。また、折込部２０は第１側壁部１５,１７において組立状態で高さ方向に延びる第１高さ方向延在縁１５ａ,１７ａに繋がる第１接続縁２１、及び第２側壁部１６,１８において組立状態で第１高さ方向延在縁１５ａ,１７ａに略重なるように配置される第２高さ方向延在縁１６ａ,１８ａに繋がる第２接続縁２２を含む。また、折込部２０には、平面視でＬ字形状を有する切れ目３０が設けられる。また、平面視において、切れ目３０は、底壁部１４側の端から第２接続縁２２まで第２高さ方向延在縁１６ａ,１８ａに沿うようにＸ方向に延在する第１方向延在部３１と、第１方向延在部３１の底壁部１４側とは反対側の端部からＹ方向に延在する第２方向延在部３２を含む。
【００２８】
したがって、展開状態において折込部２０における第１方向延在部３１よりもＹ方向外側に位置するＸ領域で、箱部１１を箱状に形成した際に高さ方向に柱状に延在する柱部１２を構成できる。よって、包装箱１は、柱部１２で高さ方向の圧縮力を受けることができるので、該圧縮力に対する強度が大きくなり、高さ方向の座屈を抑制できる。
【００２９】
また、第２方向延在部３２は、Ｘ方向の幅を有するスリット形状を有してもよい。
【００３０】
上記構成によれば、第２方向延在部３２がＸ方向の幅を有する貫通孔形状であるので、Ｙ領域が、折込部２０におけるそれ以外の領域に対して折れ曲がり易くなる。よって、図１に示すように、折込部２０を折り込む際にＹ領域をそれ以外の領域（柱部１２を含む領域）に円滑に重ねることができ、箱を円滑に組み立てできる。
【００３１】
また、Ｙ方向が、箱本体１０を構成する一枚の段ボールの目方向に一致してもよい。
【００３２】
上記構成によれば、柱部１２における段ボールの目方向が、組み立て状態で高さ方向に一致する。よって、柱部１２の圧縮力に対する強度を大きくでき、高さ方向の座屈を更に効果的に抑制できる。
【００３３】
また、第１接続縁２１の長さａは、第２接続縁２２の長さｂよりも長くてもよい。
【００３４】
第１接続縁２１は、段ボールの目方向に沿った方向に折り曲げることになる一方、第２接続縁２２は、段ボールの目方向に直交する方向に折り曲げることになる。よって、第２接続縁２２は、第１接続縁２１よりも折り曲げにくく、組立状態における側壁部１５〜１８に対する柱部１２の傾斜角が、第２接続縁２２の折り曲げ角度に依存し易い。
【００３５】
これに対し、上記構成によれば、第１接続縁２１の長さａが、第２接続縁２２の長さｂよりも長い。したがって、第１接続縁２１の折り曲げにくさを、第２接続縁２２の折り曲げにくさに近づけることができ、第１接続縁２１の折り曲げにくさと、第２接続縁２２の折り曲げにくさとをバランスさせることができる。よって、側壁部１５〜１８に対する柱部１２の傾斜角を４５°に近づけることができるので、包装箱１の圧縮力に対する強度が局所的に大きく変動することを抑制でき、結果として、圧縮力に対する強度を、包装箱１の上面の場所によらず大局的に大きな値にすることができる。
【００３６】
また、第１方向延在部３１は、Ｙ方向の幅を有するスリット形状を有してもよい。また、包装箱１は、第１方向延在部３１のＹ方向の幅よりも薄い厚さを有すると共に底壁部１４の上側に配置される緩衝材８０を更に備えてもよい。
【００３７】
上記構成によれば、組立状態において、照明装置を、緩衝材８０を用いて４つの側壁部１５〜１８に対して位置決めできる。よって、搬送中に照明装置が損傷することを抑制できる。また、緩衝材８０が、第１方向延在部３１のＹ方向の幅よりも薄い厚さを有するので、組立状態において、緩衝材８０を、高さ方向に関して、柱部１２の下面と、底壁部１４の上面との間に配置できる。
【００３８】
また、包装箱１は、光出射側の端部にフランジを有する埋込式の照明装置を収納するために用いられてもよい。また、第１方向延在部３１のＹ方向の幅は、緩衝材８０の厚さと上記フランジの厚さを足した長さ以上の長さであってもよい。
【００３９】
上記構成によれば、緩衝材８０と、緩衝材８０の下側に配置されるフランジを、組立状態において、高さ方向に関して、柱部１２の下面と、底壁部１４の上面との間に配置できる。また、特に、第１方向延在部３１のＹ方向の幅が、緩衝材８０の厚さと上記フランジの厚さを足した長さに一致する長さであると、緩衝材８０及びフランジを、柱部１２の下面と、底壁部１４の上面とで挟持できる。よって、その場合、柱部１２、緩衝材８０、及びフランジで、高さ方向に延在すると共に底壁部１４の内側面（上面）に接触する柱を構築でき、その結果、高さ方向の圧縮力に対する強度を更に大きくすることができる。但し、第１方向延在部のＹ方向の幅は、緩衝材８０の厚さと上記フランジの厚さを足した長さよりも短くてもよく、組み立てた際に形成される柱部を少し上側に歪ませるようにして、緩衝材８０及び照明装置を箱内部に収納してもよい。
【００４０】
なお、本開示は、上記実施形態およびその変形例に限定されるものではなく、本願の特許請求の範囲に記載された事項およびその均等な範囲において種々の改良や変更が可能である。
【００４１】
例えば、上記実施形態では、第１方向延在部３１が、Ｙ方向の幅を有するスリット形状である場合について説明した。しかし、図４、すなわち、変形例の箱本体１１０における図２に対応する平面図に示すように、第１方向延在部１３１は、Ｙ方向の幅を有さない切り込みでもよい。この構成の場合、箱本体１１０を組み立てた際、柱部の下面が底壁部１１４の内側面（上面）に接触することになる。よって、高さ方向に対する圧縮力に対する柱部の強度を大きくできる。この変形例の箱本体１１０は、緩衝材を用いない場合に好適に用いられる。また、第２方向延在部３２が、Ｘ方向の幅を有するスリット形状である場合について説明した。しかし、第２方向延在部は、Ｘ方向の幅を有さない切り込みでもよい。
【００４２】
また、箱本体１０が、Ｘ方向に延在する一対の第１縁部１４ｂと、Ｘ方向に直交するＹ方向に延在する一対の第２縁部１４ｃとを含む略矩形の内側面１４ａを有する底壁部１４を備える場合について説明した。そして、箱本体１０が、側壁を構成する４つの側壁部１５〜１８に含まれ、第１縁部１４ｂに接続される一対の第１側壁部１５,１７と、４つの側壁部１５〜１８に含まれ、第２縁部１４ｃに接続される一対の第２側壁部１６,１８を備える場合について説明した。しかし、組み立てられた際、同じ箱形状の箱本体１０を形成できる展開図は、複数考えられ、第１側壁部は、第１縁部に接続されなくてもよく、第１側壁部が、組立状態で第１縁部に略重なる縁部を有する構成でもよい。また、同様に、第２側壁部は、第２縁部に接続されなくてもよく、第２側壁部が、組立状態で第２縁部に略重なる縁部を有する構成でもよい。
【００４３】
また、箱本体１０の展開状態において、折込部２０が４隅に設けられて、柱部１２が、箱内部の４隅に設けられる場合について説明した。しかし、折込部は、箱本体の展開状態において、３隅、２隅、又は１隅のみに設けられてもよく、柱部は、箱内部の３隅、２隅、又は１隅のみに設けられてもよい。柱部を、箱内部の４隅に設けない場合、少なくとも、底壁部の内側面の対角線の延在方向に対向する２隅に設けると、高さ方向に対する圧縮力に対する強度を大きくできて好ましい。
【００４４】
また、段ボールの目方向が、Ｙ方向に略一致する場合について説明したが、段ボールの目方向は、Ｘ方向に略一致してもよい。また、包装箱１が、緩衝材８０を備える場合について説明したが、包装箱は、緩衝材を備えなくてもよい。また、包装箱１が、埋込式の照明装置を収納する場合について説明した。しかし、本開示の包装箱は、埋込式の照明装置以外の照明装置を収納してもよく、照明装置以外の如何なる製品の収納のために用いられてもよい。
【符号の説明】
【００４５】
１  包装箱、  １０  箱本体、  １１  箱部、  １４  底壁部、  １４ａ  底壁部の内側面、  １４ｂ  第１縁部、  １４ｃ  第２縁部、  １５,１７  第１側壁部、  １５ａ,１７ａ  第１高さ方向延在縁、  １６,１８  第２側壁部、  １６ａ,１８ａ  第２高さ方向延在縁、  １９  上壁部、  ２０  折込部、  ２１  第１接続縁、  ２２  第２接続縁、  ３０  切れ目、  ３１  第１方向延在部、  ３２  第２方向延在部、  ８０  緩衝材、  ａ  第１接続縁の長さ、  ｂ  第２接続縁の長さ、  Ｘ方向  第１方向、  Ｙ方向  第２方向、  Ｚ方向  組立状態における包装箱の高さ方向。
【図１】
2019189303.tif 000003
【図２】
2019189303.tif 000004
【図３】
2019189303.tif 000005
【図４】
2019189303.tif 000006
【図５】
2019189303.tif 000007